(57)【要約】【課題】簡単に、同じレベルのレリーフを制作することができるレリーフ用の金型を提供する。【解決手段】エッチング方法で金属板に描かれた図案が突出するように図案の周囲をエッチングし、図案の外周縁部が滑らかな金属の凸型と、エッチング方法で金属板に描かれた図案が凹むように形成し、凹ませた図案の端縁部が滑らかな金属の凹型と、透明なホルダーと、凹型は１つ、もしくは１組の図案を具えてなり、凸型の図案に対応する図案に合わせて組み合わせ、組み合わせた後の凹型と凸型は粘着、圧力をかける方法で透明のホルダー内部に固定し、開いたホルダーは、一方が凹型の凹型座に粘着し、もう一方に凸型の凸型座を粘着するとともに、ホルダーでそれぞれの金型が対応するように位置決めする。【選択図】図１
0003121088.tif 000002
【実用新案登録請求の範囲】
【請求項１】
エッチング方法で金属板に描かれた図案が突出するように図案の周囲をエッチングし、図案の外周縁部が滑らかな金属の凸型と、
エッチング方法で金属板に描かれた図案が凹むように形成し、凹ませた図案の端縁部が滑らかな金属の凹型と、
透明なホルダーと、
凹型は１つ、もしくは１組の図案を具えてなり、凸型の図案に対応する図案に合わせて組み合わせ、組み合わせた後の凹型と凸型は粘着、圧力をかける方法で透明のホルダー内部に固定し、開いたホルダーは、一方が凹型の凹型座に粘着し、もう一方に凸型の凸型座を粘着するとともに、ホルダーでそれぞれの金型が対応するように位置決めすることを特徴とする金型。
【請求項２】
前記のエッチング方法は、２度のエッチングで端縁部を修正し、端縁部を滑らかにするため、凹型と凸型を合わせて紙を押し圧する場合、紙が型で傷つけられないことを特徴とする請求項１に記載の金型。
【請求項３】
前記透明のホルダーは、凹型と凸型を対向する位置に固定し、凹型と凸型の一部に粘着し、凹型もしくは凸型の外側を被覆することを特徴とする請求項１に記載の金型。
【請求項４】
前記凹型は表面に複数の凹部を形成してなり、図案の描かれた凸型だけでなく、異なる凸型に組み合わせても利用することができることを特徴とする請求項１に記載の金型。
【請求項５】
前記ホルダーは内部に設けた凹部と凸部をいつでも取り外すことができる他、異なる型と組み合わせて再度、位置決めして、異なるレリーフを形成することを特徴とする請求項１に記載の金型。
【考案の詳細な説明】
【技術分野】
【０００１】
この考案は、金型に関し、特に手工芸の材料である紙材にレリーフなどの加工を施す金型に関する。
【背景技術】
【０００２】
伝統工芸で紙にレリーフを行う場合には、ひねる、摺る、凸凹、曲げる、切る、分ける、揉むなど紙の特性を利用し、適宜な形状に紙を裁断し、切断した紙を組み合わせてレリーフを制作して好みの図案を形成する。図案は、事前にそれぞれの部分の色を組み合わせ、適宜にひねる、摺る、曲げるなどして作成し、レリーフの立体的な、積層感を表現して美観を高める。制作方法は、両手や想像力の他、日常生活の中でいつでも手に入れることができる道具を利用する。例えば、はさみ、ペンナイフ、カッターなどで、切り取り線、山線、谷線を作る、棒などで紙を円形状に突出、もしくは凹ませて、硬紙で作った管で紙の位置を高くして立体的に作成する。その他、カットボード、コンパス、円形に切り取るカッター、定規、筆、鏡、スプレー、樹脂、両面テープなどもレリーフに必要な道具である。切り取り線、山線（折り曲げるために紙の表面に形成された浅い線）、谷線（折り曲げるために紙の裏に形成された浅い線）を利用して、紙もしくは凸凹に美観を産み出す。カッターを利用して紙の繊維を切断し、棒で紙の繊維を伸ばす方法は、手工芸品として自然な趣が残るが、制作に時間と費用がかかるとともに、製作者の技術によりレリーフの品質にも差が出るとともに、技術不足のレリーフは美しさが表現できないばかりでなく、容易にしわが発生する。
【０００３】
時間と費用の問題を解決するとともに、それぞれの作品のレベルを同じにするため、図３に開示するように、金属板の金属をレリーフ用の金型の凹型２１に押し出した後、該凹型２１を加熱し、圧力をかけて凹型２１に対応するプラスティック型２０を製造する。凹型２１とプラスティック型２０は、１つがオス型（プラスティックの板から形成した凸型）、もう一方がメス型（金属板から形成した凹型）としてオス型とメス型を対応させて押し圧し、紙にレリーフの図案２２を作成する。この方法では、すばやく、技術を必要とせずに、簡単に制作できるという利点がある。
【０００４】
しかしながら、オス、メス型は一方が金属で、もう一方が金属型から製造したプラスティック型であるため、型本体の凹凸が少ない。特に凹型２１上の凹んだ部分が短い場合には、形成された図３の突出部２２２が板材の厚さにより突部が平らな状態になってしまうことに加えて、弾性のプラスティック型２０の突出した部分と凸型座の間が中空になるため、図３のレリーフ紙２２上の突出部２２２のようにレリーフが平坦になり、プラスティック型を利用する効果がなく、レリーフの立体的な美しさもない。また、エッジが緩やかなため、凸型が変形し、レリーフをうまく表現することが出来ず、凹型２１のみでレリーフを作成することになる。
【０００５】
レリーフ銅片３１（図４参照）は凹型として最も利用されている。レリーフ銅片３１の上方に紙をのせて、先端が丸いレリーフ桿３０で型の上を紙に沿って押し圧すると、レリーフ銅片３１上の凹部により紙が変形して図４のレリーフ部３２１、３２２が形成される。レリーフ桿３０は硬い材質からなるため、作品の制作で圧力を加える場合に手間、労力、時間がかるが、圧力を調整することができるため、レリーフ銅片３１のエッジ部分の損壊や、割れることを防ぐことができる。これは、プラスティック材を凸型に形成する唯一の利点である。また、凸型を合わせる必要がなく、制作が簡単で、利用者の要求が高くない場合には向いている。
【０００６】
しかしながら、利用者がすでに明確なレリーフの形状を描いている場合には、金型で紙が割け、レリーフの図案の周囲にしわが発生することがある。これは従来のレリーフ型が常に抱えている問題である。図３のレリーフ紙２２と、図４のレリーフ部３２を比較すると、同じ図案の凹型でも制作後のレリーフに大きな違いがある。
【０００７】
実際、レリーフ型は凸型があるかないか、どのような凸型であるかだけでなく、レリーフ型の凹型の端縁部も関係する。押し圧成形するレリーフ型の凹型は、凹部の周囲に容易にバリが発生するため、必ず研磨加工を行わなければならない。エッチング方法で製造する凹型は、凹部の端縁部が鋭いだけでなく、不規則な波型の端縁部が形成されるため必ず再加工の原因になる。よって、従来の凹型は凸型と合わせることが難しく、金型の形成が困難であるだけでなく、形成した金型から制作するレリーフの効果が悪く、製造コストが高い。また、従来の凹型では精密な図案の表現が難しい。
【考案の開示】
【考案が解決しようとする課題】
【０００８】
この考案は、簡単に、同じレベルのレリーフを制作することができるレリーフ用の金型を提供することを課題とする。
【課題を解決するための手段】
【０００９】
そこで、本考案の考案者は従来の技術に見られる欠点に鑑みて鋭意研究を重ねた結果、エッチング方法で金属板に描かれた図案が突出するように図案の周囲をエッチングし、図案の外周縁部が滑らかな金属の凸型と、エッチング方法で金属板に描かれた図案が凹むように形成し、凹ませた図案の端縁部が滑らかな金属の凹型と、透明なホルダーと、凹型は１つ、もしくは１組の図案を具えてなり、凸型の図案に対応する図案に合わせて組み合わせ、組み合わせた後の凹型と凸型は粘着、圧力をかける方法で透明のホルダー内部に固定し、開いたホルダーは、一方が凹型の凹型座に粘着し、もう一方に凸型の凸型座を粘着するとともに、ホルダーでそれぞれの金型が対応するように位置決めする金型の構造によって課題を解決できる点に着眼し、かかる知見に基づいて本考案を完成させた。
【００１０】
以下、この考案について具体的に説明する。
請求項１に記載するエッチング方法で金属板に描かれた図案が突出するように図案の周囲をエッチングし、図案の外周縁部が滑らかな金属の凸型と、エッチング方法で金属板に描かれた図案が凹むように形成し、凹ませた図案の端縁部が滑らかな金属の凹型と、透明なホルダーと、凹型は１つ、もしくは１組の図案を具えてなり、凸型の図案に対応する図案に合わせて組み合わせ、組み合わせた後の凹型と凸型は粘着、圧力をかける方法で透明のホルダー内部に固定し、開いたホルダーは、一方が凹型の凹型座に粘着し、もう一方に凸型の凸型座を粘着するとともに、ホルダーでそれぞれの金型が対応するように位置決めする。
【００１１】
請求項２に記載する金型は、請求項１におけるエッチング方法が、２度のエッチングで端縁部を修正し、端縁部を滑らかにするため、凹型と凸型を合わせて紙を押し圧する場合、紙が型で傷つけられない。
【００１２】
請求項３に記載の金型は、請求項１における透明のホルダーが、凹型と凸型を対向する位置に固定し、凹型と凸型の一部に粘着し、凹型もしくは凸型の外側を被覆する。
【００１３】
請求項４に記載の金型は、請求項１における凹型が表面に複数の凹部を形成してなり、図案の描かれた凸型だけでなく、異なる凸型に組み合わせても利用することができる。
【００１４】
請求項５に記載の金型は、請求項１におけるホルダーが内部に設けた凹部と凸部をいつでも取り外すことができる他、異なる型と組み合わせて再度、位置決めして、異なるレリーフを形成する。
【考案の効果】
【００１５】
この考案の金型は、技術がなくても簡単にレリーフを制作することができるため、だれでも操作することができる効果を有する。
【考案を実施するための最良の形態】
【００１６】
この考案は、簡単に、同じレベルのレリーフを制作することができるレリーフ用の金型を提供するものであって、エッチング方法で金属板に描かれた図案が突出するように図案の周囲をエッチングし、図案の外周縁部が滑らかな金属の凸型と、エッチング方法で金属板に描かれた図案が凹むように形成し、凹ませた図案の端縁部が滑らかな金属の凹型と、透明なホルダーと、凹型は１つ、もしくは１組の図案を具えてなり、凸型の図案に対応する図案に合わせて組み合わせ、組み合わせた後の凹型と凸型は粘着、圧力をかける方法で透明のホルダー内部に固定し、開いたホルダーは、一方が凹型の凹型座に粘着し、もう一方に凸型の凸型座を粘着するとともに、ホルダーでそれぞれの金型が対応するように位置決めする。  
かかる金型の構造と特徴を詳述するために具体的な実施例を挙げ、図示を参照にして以下に説明する。
【実施例】
【００１７】
図１、６、７、８に開示するように、エッチング方法で加工し、形成した凹型１０は、滑らかな端縁部と、凸型１１の深さと略同じ高さを具えてなる。該凸型１１もエッチング方法で加工するため、滑らかな端縁部の曲線を具えてなり、適宜な隙間を具えて凹型１０に対応する。
【００１８】
凹型１０と凸型１１は図６、７に開示するように、凹型１０と凸型１１を合わせた後、図６に開示するように幅広のテープ１５で両型の一端縁部の外側を固定するか、もしくは図７に開示するように接着剤を塗布したホルダー１３、１４で両型の外側を挟持して凹型１０と凸型１１を固定させているため、紙を挟めばすぐに押し圧することができる。
【００１９】
テープ１５で固定した金型は、ホルダー１３、１４を利用する場合に比べてコスト及び空間を削減することができるとともに、一端縁部を固定しているため、図案の周りに多くの余白を必要としない、紙の端縁部にレリーフを制作する場合に適している。しかしながら、レリーフの図案の位置が比較的紙の中央に設けられている場合、図７の金型で制作する方が適しており、紙の端縁部に多くの余白を残すことができる。
【００２０】
図８に、図７の金型を開いた状態を開示する。凹型１０は、接合線１３１を中心にして一方に設けられ、凸型１１が凹型１０に対向する側に設けられる。凹型１０は凹部１０２を具えてなり、凸型１１は、凹部１０２に対応する突出した凸部１１１を具えてなる。
【００２１】
凹型１０に対応する金属の凸型１１は、特別な技術がなくても正しい位置で紙を押し圧することができ、プラスティック型の型取りを行うことができる。また、凹型１０と凸型１１は、対応し、位置決めされた状態にあるため、簡単に型取りすることができる。
【００２２】
凹型は異なる大きさの凸型でも利用することができる。即ち、該凸型はどのような凹型でも凸部に対応する凹部があれば、凹型にいくつの凹部があるかは関係なく紙にレリーフを制作することができる。よって、金型の組み合わせに柔軟性があり、コストを削減することができ、凹型を凸型にしっかりと押し圧することができる。
【００２３】
このため、この考案の金型は、凹型上に凸型の凸部に対応する凹部があれば、凹型のフレームがどのようなサイズ、厚さでも、両方の型を合わせて、凸型と凹型の外側に粘着性の両面テープを貼りつけてホルダーで挟持すれば、レリーフ型として利用することができる。
【００２４】
図９に開示するように、凹型１０と凸型１１は、サイズが異なる場合だけでなく、凹型１０には図案１、２、３、４、５を具えてなり、凸型１１は図案５だけを具えている場合でも、凸型１１の図案５が凹型１０の図案５に対応するように凸型１１を設けた後、凸型１１と凹型１０の外側に粘着性の両面テープを貼るか、接着剤を塗布した後、ホルダーで挟持すれば、金型を形成することができる。
【００２５】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００２６】
【図１】この考案の金型の断面を示した説明図である。
【図２】図１の金型で制作したレリーフの断面を示した説明図である。
【図３】従来のプラスティック材で形成した凸型でレリーフを制作する場合の断面を示した説明図である。
【図４】従来の凹型で制作するレリーフの断面を示した説明図である。
【図５】従来の金型とこの考案の金型で制作したそれぞれのレリーフの断面を比較した説明図である。
【図６】この考案の金型の断面を示した説明図である。
【図７】この考案の金型の他の実施例の断面を示した説明図である。
【図８】この考案の金型を開いた状態を示した説明図である。
【図９】この考案の金型のその他の実施例を示した説明図である。
【符号の説明】
【００２７】
Ａ          凹型
Ｂ          凸型
１          図案
２          図案
３          図案
４          図案
５          図案
１０        凹型
１０２      凹部
１１        凸型
１１１      凸部
１２        レリーフを制作した紙
１２１      レリーフ部
１２２      レリーフ部
１３        ホルダー
１３１      接合線
１４        ホルダー
１５        テープ
２０        プラスティック型
２１        凹型
２２        レリーフ紙
２２１      レリーフ部
２２２      突出部
２３        凸型座
２４        凹型座
３０        レリーフ桿
３１        レリーフ銅片
３２        レリーフ紙
３２１      レリーフ部
３２２      レリーフ部
【図１】
0003121088.tif 000003
【図２】
0003121088.tif 000004
【図３】
0003121088.tif 000005
【図４】
0003121088.tif 000006
【図５】
0003121088.tif 000007
【図６】
0003121088.tif 000008
【図７】
0003121088.tif 000009
【図８】
0003121088.tif 000010
【図９】
0003121088.tif 000011